(57)【要約】【課題】  デジタルカメラの連写時の撮影間隔を損なわずに、かつ、連写時のピントがなるべく合うような補助機能を備えたデジタルカメラを提供する。【解決手段】  システム処理部２０により、焦点距離検出部３０による検出結果に基づいてピントが合焦するようにレンズ駆動制御部１８を制御すると共に、当該検出結果に基づいてピントずれが検知された場合に、撮影者に移動することが提示されるように表示装置２４を制御する。【選択図】          図１
2007081471.tif 000002
【特許請求の範囲】
【請求項１】
被写体までの撮影距離を検出する距離検出手段と、
ピントずれが発生したか否かを検知する検知手段と、
撮影者に対する動作を提示するための提示手段と、
シャッターボタンが合焦位置の状態で、前記撮影距離に基づいてピントが合焦するように制御すると共に、シャッターボタンが撮影位置の状態で、ピントを固定したまま被写体を連続して撮影するように制御し、撮影距離が所定値以下の近距離で被写体を連続して撮影するように制御している状態で、ピントずれが発生したことが検知された場合に、撮影者に移動することが提示されるように前記提示手段を制御する制御手段と、
を備えたデジタルカメラ。
【請求項２】
前記検知手段は、ピントが前にずれたか後ろにずれたかを検知し、
前記制御手段は、前記ピントが、前記撮影距離が短くなる側にずれた場合には撮影者に前記被写体の方向に移動するように提示し、前記ピントが、前記撮影距離が長くなる側にずれた場合には撮影者に前記被写体と逆の方向に移動するように提示するように前記提示手段を制御する請求項１記載のデジタルカメラ。
【請求項３】
被写体までの撮影距離を検出する距離検出手段と、
ピントずれが発生したか否かを検知する検知手段と、
撮影時の被写体画像を表示する表示手段と、
シャッターボタンが合焦位置の状態で、前記撮影距離に基づいてピントが合焦するように制御すると共に、シャッターボタンが撮影位置の状態で、ピントを固定したまま被写体を連続して撮影するように制御し、撮影距離が所定値以下の近距離で被写体を連続して撮影するように制御している状態で、ピントずれが発生したことが検知された場合に、被写体画像の合焦させるべき部分を拡大して、撮影時の被写体画像とは別に表示されるように前記表示手段を制御する制御手段と、
を備えたデジタルカメラ。
【請求項４】
前記制御手段は、ピントずれが発生したことが検知された場合に、撮影者に移動することが表示されるように前記表示手段を制御する請求項３記載のデジタルカメラ。
【請求項５】
前記検知手段は、ピントが前にずれたか後ろにずれたかを検知し、
前記制御手段は、前記ピントが、前記撮影距離が短くなる側にずれた場合には撮影者に前記被写体の方向に移動するように表示し、前記ピントが、前記撮影距離が長くなる側にずれた場合には撮影者に前記被写体と逆の方向に移動するように表示するように前記表示手段を制御する請求項３または請求項４記載のデジタルカメラ。
【請求項６】
前記被写体画像の合焦させるべき部分は、被写体の顔の部分、または被写体の目の部分である請求項３乃至請求項５の何れか１項記載のデジタルカメラ。
【発明の詳細な説明】
【技術分野】
【０００１】
本発明は、デジタルカメラに係り、特にデジタルカメラにおける合焦方法に関する。
【背景技術】
【０００２】
高機能なデジタルカメラ（銀塩カメラにおいても同じであるが）においては、１秒間に数枚から十数枚の連続撮影が行われる連写モードが搭載されている。各撮影毎にＡＦ処理を行うようにするのが通常だが、ＡＦ処理（ピント位置の算出、レンズの駆動など）によりコマ間が長くなり、その分連写スピードが落ちてしまう欠点がある。これを解決するために最初の撮影時のフォーカス位置に固定する方法が一般的だが、この場合、連写途中にフォーカス位置がずれてしまう場合があり、この場合にはピンぼけ画像を撮影してしまうことになる。この傾向は被写体が動いている場合に特に顕著である。
【０００３】
そこで、ＡＦ処理時間を短縮するために、ＡＦ評価値の算出速度を最適化する方法やレンズ駆動を制限したりする方法が多々提案されている（例えば、特許文献１参照。）。また、フォーカスが合わなくなった時点で一旦撮影を中断し、その間に再度フォーカスを合わせるような方法も考えられている（例えば、特許文献２参照。）。
【特許文献１】特開２００１−２７５０３３公報
【特許文献２】特開２００１−２３５６７４公報
【発明の開示】
【発明が解決しようとする課題】
【０００４】
しかしながら、従来の技術では連写時のカメラの作動が中断されてしまうため、連写画像からフレームレートが小さい動画を作り出せなくなったり、雰囲気を損なってしまう場合があるという問題点があった。
【０００５】
本発明は、上記問題点を解消するために成されたものであり、デジタルカメラの連写時の撮影間隔を損なわずに、かつ、連写時のピントがなるべく合うような補助機能を備えたデジタルカメラを提供することが目的である。
【課題を解決するための手段】
【０００６】
上記目的を達成するため、請求項１記載のデジタルカメラは、被写体までの撮影距離を検出する距離検出手段と、ピントずれが発生したか否かを検知する検知手段と、撮影者に対する動作を提示するための提示手段と、シャッターボタンが合焦位置の状態で、前記撮影距離に基づいてピントが合焦するように制御すると共に、シャッターボタンが撮影位置の状態で、ピントを固定したまま被写体を連続して撮影するように制御し、撮影距離が所定値以下の近距離で被写体を連続して撮影するように制御している状態で、ピントずれが発生したことが検知された場合に、撮影者に移動することが提示されるように前記提示手段を制御する制御手段と、を備える。
【０００７】
この発明に係るデジタルカメラは、被写体までの撮影距離を検出する距離検出手段、ピントずれが発生したか否かを検知する検知手段、撮影者に対する動作を提示するための提示手段及び制御手段を備え、制御手段は、ピントが合焦するように制御すると共に、所定の状態でピントずれが検知された場合に、撮影者に移動することが提示されるように提示手段を制御する。
【０００８】
このように、ピントずれの発生を撮影者に知らせて移動を促すことにより、連写時のピントずれを少なくでき、また、フォーカス固定であるので連写枚数を上げることができる。
【０００９】
請求項２記載のデジタルカメラは、検知手段は、ピントが前にずれたか後ろにずれたかを検知し、制御手段は、ピントが、撮影距離が短くなる側にずれた場合には撮影者に被写体の方向に移動するように提示し、ピントが、撮影距離が長くなる側にずれた場合には撮影者に被写体と逆の方向に移動するように提示するように提示手段を制御する。これにより、撮影者がピントずれを解消する時間を短縮することができる。
【００１０】
請求項３記載のデジタルカメラは、被写体までの撮影距離を検出する距離検出手段と、ピントずれが発生したか否かを検知する検知手段と、撮影時の被写体画像を表示する表示手段と、シャッターボタンが合焦位置の状態で、前記撮影距離に基づいてピントが合焦するように制御すると共に、シャッターボタンが撮影位置の状態で、ピントを固定したまま被写体を連続して撮影するように制御し、撮影距離が所定値以下の近距離で被写体を連続して撮影するように制御している状態で、ピントずれが発生したことが検知された場合に、被写体画像の合焦させるべき部分を拡大して、撮影時の被写体画像とは別に表示されるように表示手段を制御する制御手段と、を備える。
【００１１】
この発明に係るデジタルカメラは、被写体までの撮影距離を検出する距離検出手段、ピントずれが発生したか否かを検知する検知手段、撮影時の被写体画像を表示する表示手段及び制御手段を備え、制御手段は、ピントが合焦するように制御すると共に、所定の状態でピントずれが検知された場合に、被写体画像の合焦させるべき部分を拡大して、撮影時の被写体画像とは別に表示されるように表示手段を制御する。
【００１２】
このように、被写体画像の合焦させるべき部分を拡大表示することにより、撮影者が微妙なピントずれの調整を行うことができる。
【００１３】
また、請求項４記載のデジタルカメラのように、制御手段は、ピントずれが発生したことが検知された場合に、撮影者に移動することが表示されるように、更に、請求項５記載のデジタルカメラのように、検知手段はピントが前にずれたか後ろにずれたかを検知し、制御手段は、ピントが、撮影距離が短くなる側にずれた場合には撮影者に被写体の方向に移動するように表示し、ピントが、撮影距離が長くなる側にずれた場合には撮影者に被写体と逆の方向に移動するように表示するように表示手段を制御してもよい。このように表示することにより、撮影者が素早く最適なピント調整を行うことができる。
【００１４】
更に、請求項６記載のデジタルカメラは、被写体画像の合焦させる部分は、被写体の顔の部分又は被写体の目の部分である。従って、制御手段は、ピントずれが発生したことが検知された場合に、撮影画面に顔を認識したときは顔の部分全体又は目の部分を拡大した画像を全体画像とは別に表示するように表示手段を制御する。これにより、撮影された画像がポートレート写真として好ましいピントになる。
【発明の効果】
【００１５】
以上説明したように、本発明によれば、デジタルカメラの連写時の撮影間隔を損なわずに、かつ、連写時のピントがなるべく合うような補助機能をデジタルカメラに備えることができる、という効果を有する。
【発明を実施するための最良の形態】
【００１６】
以下、図面を参照して本発明の実施の形態を説明する。図１には、本実施の形態に係るデジタルカメラ１０の電気系の構成が示されている。
【００１７】
同図に示すように、デジタルカメラ１０は、レンズ１２を通過した被写体像を示す入射光に基づき被写体を撮像して被写体像を示すアナログ画像信号を出力するＣＣＤ（Charge Coupled Device）１４と、入力された信号に対して所定のアナログ信号処理を施し、入力されたアナログ信号をデジタル信号に変換する信号処理部１６と、レンズ１２を光軸方向に移動させるモータ（図示省略）を駆動するための駆動信号を生成するレンズ駆動制御部１８とを備えている。
【００１８】
また、デジタルカメラ１０は、デジタルカメラ１０全体の動作を司るＣＰＵ（中央演算処理装置）を含むシステム処理部２０を備えている。このシステム処理部２０には、スイッチ・ボタン等の操作部２２が接続されており、システム処理部２０ではこれらのスイッチ・ボタン等のユーザによる操作状態を常時把握することができる。
【００１９】
更に、システム処理部２０には、信号処理部１６、レンズ駆動制御部１８、ＬＣＤ（Liquid Crystal Display）２４、内部メモリ２６、記録カードＩ／Ｆ２８及び焦点距離検出部３０の各部が接続されており、システム処理部２０は、これら各部の動作を制御する。
【００２０】
ＬＣＤ２４はデジタルカメラ１０本体の背面に配置され、撮影によって得られたデジタル画像データにより示される被写体像やメッセージ等を表示するための表示装置である。
【００２１】
撮影されたデジタル画像データは、記録カードＩ／Ｆ２８に装着された半導体メモリを備えた記録カードに記憶され、画像再生時には記録カードに記憶された再生対象とするデジタル画像データが記録カードＩ／Ｆ２８を介して読み出され、ＬＣＤ２４に表示される。
【００２２】
また、内部メモリ２６には以下で説明する制御ルーチンを実行するプログラムが予め格納されている。
【００２３】
図２には、本実施形態に係るデジタルカメラ１０の焦点距離検出部３０の構成が示されている。
【００２４】
焦点距離検出部３０は、赤外線発光部（以下「発光部」という。）３２から赤外線を発光し、被写体４２から反射された赤外線を赤外線受光部（以下「受光部」という。）においてある角度で受光する。受光部は発光部から発光する赤外線の波長帯域に感度を有するセンサである。
【００２５】
同図に示すように、受光部Ａ３４、受光部Ｂ３６、及び受光部Ｃ３８の３種類の角度の異なる受光部で赤外線を受光する。受光部Ｂ３６が中央に位置し、受光部Ａ３４は受光部Ｂ３６より少し内側（発光部３２側）に、受光部Ｃ３８は受光部Ｂ３６より少し外側（発光部３２の反対側）に向け、入射角をそれぞれ内側と外側にずらして取り付けられている。
【００２６】
基本的には中央の受光部Ｂ３６で受光して焦点を合わせ、焦点が合わない場合には軸４０を回転させて受光部Ｂが向いている角度を変化させる。被写体４２からの反射赤外線の方向が法線方向になっているところがピーク（受光量が最大）になるという原理を利用し、受光部Ｂ３６でピークを検出する。ピークとなった受光部Ｂ３６に対向する方向に被写体４２が存在することになる。
【００２７】
このようにして受光部Ｂ３６と被写体４２の角度が分かれば、発光部３２、受光部Ｂ３６の位置は既知であるので、三角法により被写体４２までの距離が求まる。被写体４２までの距離が分かれば、距離毎に焦点距離が合うレンズ１２の位置を予めテーブルに保持しておき、その位置にレンズ１２を合わせることによりピントを合わせること、即ち合焦することができる。
【００２８】
被写体４２が合焦位置より前（発光部３２側）に移動すれば受光部Ａ３４での受光量がピークに近づき（受光量が大きくなり）、被写体４２が合焦位置より後ろ（発光部３２の反対側）に移動すれば受光部Ｃ３８での受光量がピークに近づき（受光量が大きくなり）、被写体４２がどちらに移動したかを検出することができる。
【００２９】
尚、本実施例では、レンズの位置を固定して３つの受光部で分担しているが、この方法に限定するものではなく、１つの受光部を常に動かしてスキャンするという方法もある。
【００３０】
次に、本実施の形態の作用を、図３乃至図７に示した制御ルーチンを表すフローチャートに沿って説明する。
（第１の実施の形態）
図３は、本発明の第１の実施の形態に係るデジタルカメラにおける撮影者に移動を促す制御ルーチンの流れを示すフローチャートである。
【００３１】
最初にステップ１００で、シャッターが中間位置まで押下される半押し状態の場合か否か判断し、半押し状態の場合は焦点距離検知モードが開始する。
【００３２】
ステップ１１０で、焦点距離検出部３０の受光部Ｂ３６を使用して被写体４２までの距離を検知する。
【００３３】
ステップ１２０で、レンズ駆動制御部１８を介してレンズ１２を駆動して、検知した被写体４２までの距離に焦点を合わせる。
【００３４】
ステップ１３０では、シャッターが中間位置を超えた最終押下位置まで押下された全押し状態か否かを判定し、全押し状態でない場合にはステップ１４０に、全押し状態の場合にはステップ１５０に進む。
【００３５】
ステップ１４０で、シャッターの半押し状態が継続していると判断された場合にはステップ１１０に戻り、全押し状態でも半押し状態でもない場合には処理を終了する。
【００３６】
シャッターが全押し状態の場合には、ステップ１５０で、被写体４２の撮影が行われる。
【００３７】
ステップ１６０では、連続撮影モードか設定されているか否かを判定し、連続撮影モードが設定されている場合にはステップ１７０へ進み、設定されていない場合には処理を終了する。
【００３８】
ステップ１７０では、検知された被写体４２までの距離に基づいて近距離撮影か否かを判定し、近距離撮影である場合にはステップ１８０に進み、そうでない場合にはステップ１３０に戻る。
【００３９】
ここで、近距離撮影か否かを判定するのは、近距離にいる人・動物などの被写体を撮影する場合はカメラを移動させて（即ち、撮影者が移動して）ピント調整することができるからである。これは、ポートレート撮影などでＡＦでフォーカス固定し、目に焦点が合うようにカメラを移動させるテクニックと同じである。このテクニックと同様に、本実施の形態においても近距離撮影で連続撮影した場合、フォーカス固定したままで撮影者がカメラを移動させることでピント調整が可能である。これに対して、遠距離撮影の場合には被写体との距離に比べて撮影者が移動してカメラを動かすことのできる距離は高々数メートルと短いため、カメラを動かすことによる補正では殆ど効果がないことになる。近距離か否かの閾値は、人が動ける範囲である約５ｍが目安となる。
【００４０】
ステップ１８０では、受光部Ｂ３６の受光量と受光部Ａ３４、受光部Ｃ３８の受光量とを比較し、受光部Ｂ３６の受光量の方が小さい場合にはピントがずれたことが認識されるのでステップ１９０に進み、受光部Ｂ３６の方が大きい場合にはピントはずれてないのでステップ１３０に戻り撮影を継続する。
【００４１】
ステップ１９０では、図８の様にピントがずれたことを示すメッセージ８０をデジタルカメラ１０の表示装置２４に表示し、撮影者にピントを合わせるために移動を促し、ステップ１３０に戻って撮影が継続される。撮影者はこの表示によりピントずれの発生を知り、前後どちらかに移動して表示が消えればピントずれが解消される。
【００４２】
このように本実施の形態では、近距離の被写体に対して連続撮影を行う際のピントずれを少なくすることができ、また、フォーカスが固定なので、連写枚数を上げることができる。
（第２の実施の形態）
図４は、本発明の第２の実施の形態に係るデジタルカメラにおける撮影者に移動を促す制御ルーチンの流れを示すフローチャートであり、図３と同一部分には同一符号を付して詳細な説明を省略する。
【００４３】
図４の構成が図３の構成と異なる点は、図１中のステップ１９０に代えてステップ２００、２１０、２２０を設けたことである。
【００４４】
ステップ２００では、ピントが前後いずれの方向にずれているかを検知するため、受光部Ａ３４と受光部Ｃ３８の受光量を比較し、受光部Ｃ３８の方が受光量が大きい場合にはピントが後方（撮影距離が長くなる側）にずれていると判断してステップ２１０に進み、受光部Ａ３４の方が受光量が大きい場合にはピントが前方（撮影距離が短くなる側）にずれていると判断してステップ２２０に進む。
【００４５】
ピントが後ろ（撮影距離が長くなる側）にずれている場合には、ステップ２１０で、撮影者が後ろに下がる（被写体と逆の方向に移動する）ように指示するため図９の下向きに拡大するように表した矢印８４を表示し、ピントが前（撮影距離が短くなる側）にずれている場合には、ステップ２２０で、撮影者が前に進む（被写体の方向に移動する）ように図９の上向きに縮小するように表した矢印８２を表示する。
【００４６】
このように本実施の形態では、撮影者に移動を促す際に被写体に近づけばよいのか、遠ざかればよいのかを表示するので、撮影者がピントずれを解消するのに要する時間を短縮することができる。
（第３の実施の形態）
図５は、本発明の第３の実施の形態に係るデジタルカメラにおける撮影者に移動を促す制御ルーチンの流れを示すフローチャートであり、図３と同一部分には同一符号を付して詳細な説明を省略する。
【００４７】
図５の構成が図３の構成と異なる点は、図３中のステップ１９０に代えてステップ３００を設けたことである。
【００４８】
ステップ３００では、ピントずれを検知した際に、図１０に示す様に合焦させるべきフォーカス部分（中央部、例えば９分割した中央部分）８６を拡大して全体画像とは別にサブ画像８８として表示する。
【００４９】
このように本実施態様では、ピントを合わせるべきフォーカス部分が拡大表示されるので、撮影者が微妙なピントずれの調整を行うことができる。
（第４の実施の形態）
図６は、本発明の第４の実施の形態に係るデジタルカメラにおける撮影者に移動を促す制御ルーチンの流れを示すフローチャートであり、図３又は図４と同一部分には同一符号を付して詳細な説明を省略する。
【００５０】
図６の構成が図３と異なるのは以下の点である。
【００５１】
ステップ４００で、焦点距離検出部３０の受光部Ｂ３６を使用して焦点距離を検知すると同時に、Ｎ＝Ｍに設定する。
【００５２】
ここで、Ｎはフォーカス部分の拡大表示を何枚連写したかを示す変数であり、Ｍはフォーカス部分の拡大表示を最大何枚連写したら終了させるかを示す予め定めた定数である。例えば、Ｍを「５」に設定すると、フォーカス部分の拡大表示を５枚連写すると拡大表示を停止する。人の移動だけではピント合わせができない被写体もあるため、このように拡大表示の連写枚数に上限を設定する。
【００５３】
ステップ４１０では、近距離撮影か否かを判定し、近距離撮影である場合にはステップ４２０に進み、そうでない場合にはステップ４５０に進む。
【００５４】
ステップ４２０では、上記と同様にしてピントがずれたか否かを判断し、ピントがずれたと判断された場合にはステップ４３０に進み、ピントがずれていない場合はステップ４５０に進む。
【００５５】
ステップ４３０では、ピントずれの発生に伴うフォーカス部分の拡大表示の連写に備えて、連写枚数を示す変数Ｎに初期値「０」を設定する。
【００５６】
続くステップ２００乃至２２０は、図４に示す第２の実施の形態と同様に、ステップ２００で、ピントが前後いずれにずれているかを検知するため、受光部Ａ３４と受光部Ｃ３８の受光量を比較し、受光部Ｃ３８の方が受光量が大きい場合にはステップ２１０に進み、受光部Ａ３４の方が受光量が大きい場合にはステップ２２０に進む。
【００５７】
ステップ２１０では、ピントが後ろ（撮影距離が長くなる側）にずれているので撮影者が後ろに下がる（被写体と逆の方向に移動する）ように指示するため図９の下向きに拡大するように表した矢印８４を表示し、ステップ２２０では、ピントが前（撮影距離が短くなる側）に移動しているので撮影者が前に進む（被写体の方向に移動する）ように図９の上向きに縮小するように表した矢印８２を表示する。
【００５８】
ステップ４４０では、ピントずれが改善されているか否かを判断する。受光部Ｂ３６の受光量と受光部Ａ３４、受光部Ｃ３８の受光量を比較し、受光部Ｂ３６の受光量の方が大きい場合には、ピントずれが改善されていると判断してステップ４５０に進む。逆に、受光部Ｂ３６の受光量の方が小さい場合には、ピントずれの改善が不充分であると判断し、ステップ１３０に戻る。
【００５９】
ステップ４５０では、合焦すべきフォーカス部分の拡大表示の連写枚数を示すカウント値Ｎのチェックを行う。Ｎが最大枚数を示すＭ未満であればステップ４６０に進み、ＮがＭ以上であればステップ４７０に進む。
【００６０】
ステップ４６０では、連写枚数が最大枚数に到達していないので、図１０のように合焦すべきフォーカス部分（中央部、例えば９分割した中央部分）８６を拡大して全体画像とは別にサブ画像８８として表示する。
【００６１】
ステップ４７０では、連写枚数が最大枚数に到達しているのでフォーカス部分の拡大表示を停止する。従って、Ｍ枚連続で撮影された場合には、拡大表示を中止して通常画面のみを表示する。
【００６２】
ここで、元々ピントがずれていない場合には、カウント値Ｎはステップ４００でＭに設定されたまま、ステップ４２０からステップ４５０を経由して本ステップを通過するため、フォーカス部分の拡大表示は行わず、ステップ１３０に戻って撮影が継続されることになる。
【００６３】
このように本実施態様では、ピントずれが発生したら、まず撮影者に対して大雑把なピント合わせのために被写体に対して近づくのか遠ざかるのかを指示し、撮影者がカメラを移動させて合焦距離内に入ったならば、さらに細かいピント調整が可能になるようにフォーカス部分が拡大表示されるので、撮影者が素早く最適なピント調整を行うことができる。
（第５の実施の形態）
図７は、本発明の第５の実施の形態に係るデジタルカメラにおける撮影者に移動を促す制御ルーチンの流れを示すフローチャートであり、図３と同一部分には同一符号を付して詳細な説明を省略する。
【００６４】
図７の構成が図３と異なるのは以下の点である。
【００６５】
ステップ５００では、ピントがずれた場合に、画像の中に顔が存在するか否かを判定し、存在する場合にはステップ５１０に進み、存在しない場合にはステップ５２０に進む。
【００６６】
画像の中の顔の存否の判定は、例えば、被写体画像のうち顔領域を検出する顔抽出センサを備えることによって行う。顔抽出センサは公知のいかなるセンサでも使用することができ、本実施の形態においてはその方式は問わない。
【００６７】
ステップ５１０では、図１１のようにフォーカス部分９０を顔又は目に合わせ、これを拡大して全体画像とは別にサブ画像９２として表示する。顔又は目を拡大表示するのは、人物が写っている場合には普通は顔（特に目）をぼやけさせないようにするものだからである。
【００６８】
ステップ５２０では、顔が移っていないので、図１２のようにフォーカス部分（中央部、例えば９分割した中央部分）９４を拡大して全体画像とは別にサブ画像９６として表示する。
【００６９】
このように本実施態様では、被写体画像に顔が含まれている場合には顔又は目に焦点を合わせることができるので、撮影された画像がポートレート写真として好ましいピントになるようになる。
【００７０】
上記では画像を表示することによって、撮影者に移動することを提示する例について説明したが、音声やランプの点灯等によって撮影者に移動することを提示してもよい。
【００７１】
また、上記実施形態では、ピントずれが発生したか否かを焦点距離検出部３０による検出結果に基づいて検知する場合について説明したが、本発明はこれに限定されるものではなく、例えば、ＣＣＤ１４による撮像によって取得された撮像データに基づくコントラスト値の変化に基づいて検知する形態等、従来既知の他のピントずれ検知手法を用いる形態とすることもできる。上記コントラスト値の変化に基づいて検知する場合は、ピントずれが発生したか否かを検出するための手段を新たに設ける必要がないため、上記実施形態に比較して、低コストで本発明を実現できる。
【図面の簡単な説明】
【００７２】
【図１】デジタルカメラの電気系の構成図である。
【図２】デジタルカメラの焦点距離検出部の構成図である。
【図３】第１の実施の形態に係る処理の流れを示したフローチャートである。
【図４】第２の実施の形態に係る処理の流れを示したフローチャートである。
【図５】第３の実施の形態に係る処理の流れを示したフローチャートである。
【図６】第４の実施の形態に係る処理の流れを示したフローチャートである。
【図７】第５の実施も形態に係る処理の流れを示したフローチャートである。
【図８】撮影者に移動を促す表示をしたデジタルカメラの図である。
【図９】撮影者に前又は後ろへの移動を促す表示をしたデジタルカメラの図である。
【図１０】フォーカス部分（画像の中央部分が人物）を拡大して表示したデジタルカメラの図である。
【図１１】画像の中の顔の部分又は目の部分を拡大して表示したデジタルカメラの図である。
【図１２】フォーカス部分（画像の中央部分が人物以外）を拡大して表示したデジタルカメラの図である。
【符号の説明】
【００７３】
１０  デジタルカメラ
１２  レンズ
１４  ＣＣＤ
１６  信号処理部
１８  レンズ駆動制御部
２０  システム処理部
２２  操作部（スイッチ・ボタン）
２４  ＬＣＤ（表示装置）
２６  内部メモリ
２８  記録カードＩ／Ｆ
３０  焦点距離検出部
３２  赤外線発光部
３４  赤外線受光部Ａ
３６  赤外線受光部Ｂ
３８  赤外線受光部Ｃ
４０  軸
４２  被写体
【図１】
2007081471.tif 000003
【図２】
2007081471.tif 000004
【図３】
2007081471.tif 000005
【図４】
2007081471.tif 000006
【図５】
2007081471.tif 000007
【図６】
2007081471.tif 000008
【図７】
2007081471.tif 000009
【図８】
2007081471.tif 000010
【図９】
2007081471.tif 000011
【図１０】
2007081471.tif 000012
【図１１】
2007081471.tif 000013
【図１２】
2007081471.tif 000014